(57)【要約】【課題】記憶媒体やスライダの振動低減効果に優れた記憶装置を提供する。【解決手段】複数のディスク１０４を収納する筐体１０２と、筐体１０２に固定され、隣接する２つのディスク１０４の間に全周に亘って配置されるプレート１１０と、それぞれが各ディスクに情報を記録又は再生するヘッド１３２を搭載した複数のスライダ１３０と、それぞれがスライダ１３０を片面にのみ搭載してスライダ１３０を移動させる複数のアーム１４２ａと、を有することを特徴とするディスク装置１００を提供する。【選択図】図３
2009070425.tif 000002
【特許請求の範囲】
【請求項１】
複数の記憶媒体と、
前記複数の記憶媒体を収納する筐体と、
前記筐体に固定され、隣接する２つの記憶媒体の間に全周に亘って配置されるプレートと、
それぞれが各記憶媒体に情報を記録又は再生するヘッドを搭載した複数のスライダと、
それぞれが前記スライダを片面にのみ搭載して前記スライダを移動させる複数のアームと、
を有することを特徴とする記憶装置。
【請求項２】
前記プレートは、前記アームが進入可能な第１の領域と、前記アームが進入しない第２の領域と、を有し、前記第１の領域の厚さは前記第２の領域の厚さよりも薄いことを特徴とする請求項１に記載の記憶装置。
【請求項３】
前記プレートは、前記第２の領域において前記記憶媒体に最も近接する突起を有することを特徴とする請求項２に記載の記憶装置。
【請求項４】
前記プレートは、前記第２の領域に、突出した外周縁部を有することを特徴とする請求項２又は３に記載の記憶装置。
【請求項５】
前記プレートは円筒形状の中空穴を含み、
前記プレートは、前記中空穴から外周まで延びる突起を有することを特徴とする請求項１に記載の記憶装置。
【発明の詳細な説明】
【技術分野】
【０００１】
本発明は、ハードディスク装置（ＨａｒｄＤｉｓｃ Ｄｒｉｖｅ：ＨＤＤ）などの記憶装置に係り、特に、隣接する２つの記憶媒体間に振動防止部材を配置した記憶装置に関する。
【背景技術】
【０００２】
近年の大容量化の要請に応えるために、ＨＤＤは、複数の磁気ディスクを収納すると共に各ディスクの記録密度を高めている。ディスクの高記録密度化に伴い、ディスクに情報を記録又は再生する磁気ヘッドには高い位置決め精度が要求されるようになる。磁気ヘッドを搭載したスライダは、磁気ディスクの外側で回転可能に軸支されたアームに保持され、磁気ディスクの回転に伴う気流により磁気ディスク上に浮上する。磁気ディスク上にスライダをロードする際、アームは磁気ディスク間の空間又はディスク上の空間の一部に進入する。
【０００３】
気流はスライダを磁気ディスク上で浮上させる浮上力を与えるために必要であるが、磁気ディスクやスライダを振動させ、磁気ヘッドの高精度な位置決めを阻害するという問題も引き起こす。特に、隣接する２つのディスク間においては、対向する両ディスク面からの気流がぶつかり合って乱流となる場合がある。ヘッドに高い位置決め精度が要求されるにつれて、かかる気流の悪影響が無視できなくなってきた。そこで、特許文献１及び２は、隣接する２枚のディスク間に円盤形状のプレートを配置することが提案している。プレートが、隣接する２枚のディスクで挟まれた他のディスクからの気流を遮断すると共に空間の体積を低減することにより、その空間で発生する気流を低減して、ディスクやスライダの振動を低減しようとするものである。
【０００４】
その他の従来技術としては特許文献３がある。
【特許文献１】特表２００５−５０９２３２号公報
【特許文献２】特開２００６−１２３３０号公報
【特許文献３】特開２００４−１７１７１３号公報
【発明の開示】
【発明が解決しようとする課題】
【０００５】
特許文献１及び２のプレートは、アームが進入する領域が切り欠かれている。隣接する２つの磁気ディスク間に進入するアームは、その両面にスライダを搭載しており、切り欠きがないとアームがプレートと衝突してしまう。しかし、切り欠きにおいて、気流が発生して磁気ディスクやスライダを振動させてしまう。このように、特許文献１及び２のプレートは、切り欠きがあるために振動を低減又は防止する効果が不十分であった。
【０００６】
本発明は、記憶媒体やスライダの振動低減効果に優れた記憶装置に関する。
【課題を解決するための手段】
【０００７】
本発明の一側面としての記憶装置は、複数の記憶媒体と、前記複数の記憶媒体を収納する筐体と、前記筐体に固定され、隣接する２つの記憶媒体の間に全周に亘って配置されるプレートと、それぞれが各記憶媒体に情報を記録又は再生するヘッドを搭載した複数のスライダと、それぞれが前記スライダを片面にのみ搭載して前記スライダを移動させる複数のアームと、を有することを特徴とする。
【０００８】
かかる記憶装置によれば、プレートが隣接する２つの記憶媒体の間に全周に亘って切り欠きなく配置されるので特許文献１及び２よりも空間を低減すると共に他の記憶媒体からの気流をより効果的に遮断し、それにより気流を低減して振動を低減することができる。また、各アームは、片面にのみスライダを搭載するため、隣接する２つの記憶媒体の間において、記憶媒体、スライダ、アーム、プレート、アーム、スライダ、記憶媒体と配置することができる。このように、各アームの片面にのみスライダを搭載することによって、記憶媒体とプレートとの間にアームを進入させることができ、切り欠きを設けなくても隣接する２つの記憶媒体の対向する面の記録再生を可能にしている。
【０００９】
前記プレートは、例えば、平板形状を有する。これにより、製造が容易になり、かつ、他の記憶媒体からの気流を遮断することができる。
【００１０】
前記プレートは、前記アームが進入可能な第１の領域と、前記アームが進入しない第２の領域と、を有し、前記第１の領域の厚さは前記第２の領域の厚さよりも薄いことが好ましい。記憶媒体に近接した第２の領域を設けることにより、隣接する２つの記憶媒体の間の空間を第２の領域においてより低減し、それにより気流をより低減して振動をより低減することができる。
【００１１】
前記プレートは、前記第２の領域において前記記憶媒体に最も近接する突起を有することが好ましい。これにより、記憶媒体と第２の領域の最近接部である突起との距離の精度のみを確保すれば足り、プレートの第２の領域の全面に亘って記憶媒体との距離の精度を確保する必要がない。このため、製造が容易になる。前記プレートは、例えば、前記第２の領域に３つの等間隔で配置された円筒形状の突起を有してもよい。
【００１２】
前記プレートは、前記第２の領域に、突出した外周縁部（シュラウド）を有してもよい。シュラウドが、記憶媒体の端面の気流を整流するので記憶媒体の振動を更に抑制することができる。突出している前記外周縁部の一部に切り欠きが設けられてもよい。かかる切り欠きにより、シュラウドの内部で発生した気流を外部に逃がすことができ、エアフィルタ効果を確保してＶＣＭの冷却効率を向上することができる。前記筐体は、前記切り欠きに接続され、前記記憶媒体の一部を囲む排気路を有してもよい。これにより、気流の排気を容易にすることができる。
【００１３】
前記筐体は、前記記憶媒体の接線方向に平行に延びる排気路を有してもよい。これにより、気流の排気を容易にすることができる。
【００１４】
また、前記プレートは円筒形状の中空穴を含み、前記プレートは、前記中空穴から外周まで延びる突起を有してもよい。これにより、気流を外部に逃がすことができ、エアフィルタ効果を確保してＶＣＭの冷却効率を向上することができる。前記突起は前記中空穴の接線方向に延びることが好ましい。この方向に気流が流れるからである。
【００１５】
本発明の更なる目的又はその他の特徴は、以下、添付図面を参照して説明される好ましい実施例によって明らかにされるであろう。
【発明の効果】
【００１６】
本発明によれば、記憶媒体やスライダの振動低減効果に優れた記憶装置を提供することができる。
【発明を実施するための最良の形態】
【００１７】
以下、添付図面を参照して、本発明の記憶装置の一例としてのＨＤＤ（磁気ディスク装置）について説明する。
【実施例１】
【００１８】
図１は、本発明の実施例１のＨＤＤ１００の内部構造の概略平面図である。図２は、ＨＤＤ１００の断面図である。ＨＤＤ１００は、図１に示すように、筐体１０２内に、磁気記憶媒体としての複数（本実施例では図２に示すように３枚）の磁気ディスク１０４と、ヘッドスタックアッセンブリ（Ｈｅａｄ  Ｓｔａｃｋ  Ａｓｓｅｍｂｌｙ：ＨＳＡ）１２０と、プレート１１０と、スピンドルモータ１５０と、クランプリング１６０と、ランプ１７０と、を収納する。 
【００１９】
筐体１０２は、例えば、アルミダイカストベースやステンレスなどから構成され、直方体形状を有し、内部空間を密閉する図示しないカバーが結合される。筐体１０２には、図１においてハッチングされている気流の排気路１０２ａが形成される。排気路１０２ａは、図１に示す紙面に垂直な方向において、図２の最上位置にある磁気ディスク１０４から最下位置にある磁気ディスク１０４までの高さを有し、プレート１１０又は磁気ディスク１０４の接線に平行な方向に延びる。排気路１０２ａにより、隣接する２枚の磁気ディスク１０４の間の空間に発生する後述する気流の排気を容易にすることができる。
【００２０】
本実施形態の磁気ディスク１０４は高い面記録密度、例えば、１００Ｇｂ／ｉｎ２以上を有する。このような高い面記録密度を有する磁気ディスクでは磁気ヘッドの高い位置決め機能が要求される。磁気ディスク１０４は、その中央に設けられた貫通孔を介してスピンドルモータ１５０のスピンドル（ハブ）１５２に装着される。隣接する２枚の磁気ディスク１０４は、スピンドル１５２に装着されたドーナツ形状のスペーサ１０５によって隔てられる。磁気ディスク１０４はスピンドル１５２と共に回転する。
【００２１】
各プレート１１０は、隣接する２つの磁気ディスク１０４の間に配置され、その間の空間の体積を低減すると共に一方の磁気ディスク１０４が発生する気流が他方の磁気ディスク１０４が発生する気流に混合しないように遮断する。隣接する２つの磁気ディスク１０４の間の空間の体積を低減することによって、発生する気流を低減し、気流の混合を防止することによって乱流を防止し、磁気ディスク１０４及び後述するＨＳＡ１２０のスライダ１３０の振動を防止する。本実施例では、図２に示すように、３つの磁気ディスク１０４が設けられるので２つのプレート１１０が設けられる。
【００２２】
プレート１１０は、筐体１０２に３本のネジ１０３を介して固定され、回転する磁気ディスク１０４に対して静止している。３本のネジ１０３の中心は、同一の円周上に等間隔である１２０度間隔で配置される。図３は、プレート１１０の斜視図である。プレート１１０は円板形状を有する。プレート１１０は、円環形状の基部１１１と、薄い円筒形状の中空穴１１２ａと、３つの取付部１１２ｂとを有する。
【００２３】
基部１１１は、厚さが一定であり、中央に中空穴１１２ａを有する。本実施例のプレート１１０の基部１１１は平板形状を有するため、製造が容易である。基部１１１の外周１１１ａの一部には、ランプ１７０が進入する凹部１１１ｂが形成される。中空穴１１２はスペーサ１０５の周りに配置される。３つの取付部１１２ｂは、基部１１１の外周１１１ａから径方向に沿って外側に突出する略三角形形状を有する突出部であり、ネジ１０３が貫通する取付孔１１２ｂ１を中央に有する。取付孔１１２ｂ１の中心は等間隔である１２０度間隔で同一の円周上に配置される。
【００２４】
プレート１１０は、隣接する２つの磁気ディスク１０４の間に全周に亘って配置される。「全周に亘って」とは、中空穴１１２ａと基部１１１の外周１１１ａとを接続する接続部が存在しないことをいう。特許文献１及び２は、プレート１１０にかかる接続部（切り欠き）を設けていた。切り欠きは、特許文献１及び２は、アーム１４２ａ及びサスペンション１４０が進入するために必要であったが、本実施例は、アーム１４２ａとサスペンション１４０との接続構造を工夫することによって切り欠きを不用としている。特許文献１及び２において切り欠きが存在した部分にもプレートが及ぶので、特許文献１及び２よりも隣接する２つの磁気ディスク１０４の間の空間の体積をより低減すると共に一方の磁気ディスク１０４が発生する気流が他方の磁気ディスク１０４が発生する気流に混合しない割合を最大にすることができる。この結果、磁気ディスク１０４及び後述するＨＳＡ１２０のスライダ１３０の振動をより効果的に防止することができる。
【００２５】
ＨＳＡ１２０は、複数の（本実施例では６つの）スライダ１３０と、複数の（本実施例では６つの）サスペンション１４０と、キャリッジ１４２とを有する。
【００２６】
スライダ１３０は、図４に示すように、略直方体に形成されるＡｌ２Ｏ３−ＴｉＣ（アルチック）製であり、空気流出端ＯＥに接合されて、読み出し及び書き込み用の磁気ヘッド１３２を内蔵するＡｌ２Ｏ３（アルミナ）製のヘッド素子内蔵膜１３３を有する。ここで、図４は、スライダ１３０の拡大斜視図である。スライダ１３０には、磁気ディスク１０４に対向する媒体対向面、即ち、浮上面１３４が規定される。磁気ディスク１０４の回転に基づき生成される気流ＡＦは浮上面１３４に受け止められる。
【００２７】
浮上面１３４には、スライダ１３０の空気流入端ＩＥから空気流出端ＯＥに向かって延びる２筋のレール１３６が形成される。各レール１３６の頂上面にはいわゆるＡＢＳ（空気軸受け面）１２７が規定される。ＡＢＳ１２７では気流ＡＦの働きに応じて浮力が生成される。但し、隣接する２つの磁気ディスク１０４においては、浮上面１３４が対向する磁気ディスク１０４とは別の磁気ディスク１０４から発生する気流ＡＦは乱流となり、スライダ１３０を振動させる原因となる。また、浮上面１３４が対向する磁気ディスク１０４からの気流ＡＦが生成される空間が広いと乱流となり得る。
【００２８】
ヘッド素子内蔵膜１３３に埋め込まれた磁気ヘッド１３２はＡＢＳ１２７で露出する。本実施例の起動方式は、停止時にスライダ１３０をディスク１０４から持ち上げてディスク１０４の外側にあるランプ１７０でスライダ１３０をディスク１０４と非接触に保持し、起動時にランプ１７０からディスク１０４上に落とすダイナミックローディング又はランプロード方式を採用する。
【００２９】
磁気ヘッド１３２は、例えば、誘導書き込みヘッド素子（以下、「インダクティブヘッド素子」という。）と、磁気抵抗効果（以下、「ＭＲ」という。）ヘッド素子と、を有するＭＲインダクティブ複合ヘッドである。インダクティブヘッド素子は、図示しない導電コイルパターンで生起される磁界を利用して磁気ディスク１０４に２値情報を書き込む。ＭＲヘッドは、磁気ディスク１０４から作用する磁界に応じて変化する抵抗に基づき２値情報を読み取る。ＭＲヘッド素子は、ＣＩＰ（Ｃｕｒｒｅｎｔ  ｉｎ  Ｐｌａｎｅ）構造、ＣＰＰ（Ｃｕｒｒｅｎｔ  Ｐｅｒｐｅｎｄｉｃｕｌａｒ  ｔｏ  Ｐｌａｎｅ）構造、ＴＭＲ（Ｔｕｎｎｅｌｉｎｇ  Ｍａｇｎｅｔｏｒｅｓｉｓｔｉｖｅ）等、種類を問わない。
【００３０】
サスペンション１４０は、スライダ１３０を支持すると共にスライダ１３０に対して磁気ディスク１０４に抗して弾性力を加える機能を有する。サスペンション１４０はスライダ１３０を片持ち支持するフレキシャー（ジンバルばねその他の名称で呼ばれる場合もある）とベースプレートに接続されるロードビーム（ロードアームその他の名称で呼ばれる場合もある）とを有する。サスペンション１４０はスライダ１３０にリード線などを介して接続される図示しない配線部も支持する。リード線を介して、磁気ヘッド１３２と配線部との間でセンス電流、書き込み情報及び読み出し情報が供給及び出力される。
【００３１】
キャリッジ１４２は、ボイスコイルモータ（Ｖｏｉｃｅ Ｃｏｉｌ Ｍｏｔｏｒ：ＶＣＭ）１４６によって支軸１４４周りに揺動する。キャリッジ１４２は、アクチュエータ、断面がほぼＥ字形状であるためにＥブロック、若しくは、アクチュエータ（ＡＣ）ブロックとも呼ばれる。キャリッジ１４２には、スライダ１３０に制御信号及びディスク１０４に記録されるべき信号並びに電力を供給すると共にディスク１０４から再生された信号を受信するフレキシブル回路基板（ＦＰＣ）１４７が更に設けられている。
【００３２】
キャリッジ１４２は、それぞれベースプレートを介して対応するサスペンション１４０に接続される複数のアーム１４２ａを有する。アーム１４２ａは、支軸１４４の周りに回転又は揺動可能に設けられるアルミニウム製の剛体である。
【００３３】
図５（ａ）は、隣接する２つの磁気ディスク１０４の間に配置されるアーム１４２ａ、サスペンション１４０、スライダ１３０の従来の構成の概略断面図である。図５（ａ）に示すように、従来は、それぞれがサスペンション１４０の端部に溶接された一対のベースプレート１４８の図示しないボスを、アーム１４２ａの両面１４２ａ１を貫通する図示しない貫通孔に両側から嵌めこんでカシメ締結していた。
【００３４】
従来のキャリッジ１４２に搭載されるアーム１４２ａの数は４本である。磁気ディスク１０４の数がｎ枚であれば、（ｎ＋１）本のアーム１４２ａがキャリッジ１４２に搭載され、最上アームと最下アームには１本のスライダ１３０が搭載され、隣接する２つの磁気ディスク１０４の間に挿入されるアームには一対のスライダ１３０が搭載される。
【００３５】
かかる構造により、一対の磁気ディスク１０４の間にプレート配置すると、アーム１４２ａやサスペンション１４０とプレートが衝突してしまう。このため、特許文献１及び２のプレートは、アーム１４２ａやサスペンション１４０が進入する領域が切り欠かれている。しかし、切り欠きにおいて、気流又は乱流が発生してディスクやスライダを振動させてしまう。
【００３６】
図５（ｂ）は、隣接する２つの磁気ディスク１０４の間に配置されるアーム１４２ａ、サスペンション１４０、スライダ１３０の本実施例の構成の概略断面図である。図５（ａ）の問題点を解決するために、本実施例では、各アーム１４２ａはスライダ１３０を片面にのみ搭載している。本実施例のキャリッジ１４２に搭載されるアーム１４２ａの数は６本である。磁気ディスク１０４の数がｎ枚であれば、２ｎ本のアーム１４２ａがキャリッジ１４２に搭載される。
【００３７】
この結果、隣接する２つの磁気ディスク１０４の間において、磁気ディスク１０４、スライダ１３０、アーム１４２ａ、プレート１１０、アーム１４２ａ、スライダ１３０、磁気ディスク１０４と配置することができる。このように、各アーム１４２ａの片面１４２ａ１にのみスライダ１３０を搭載することによって、磁気ディスク１０４とプレート１１０との間にアームを進入させることができ、特許文献１及び２のように切り欠きを設けなくても隣接する２つの磁気ディスクの対向する面の記録再生を可能にしている。
【００３８】
ＶＣＭ１４６は、２本のヨーク１４６ａに挟まれたフラットコイル１４６ｂを有する。フラットコイル１４６ｂは筐体１０２に設けられた図示しない磁気回路に対向しており、フラットコイル１４６ｂに流される電流の値に応じてキャリッジ１４２が支軸１４４回りに揺動する。磁気回路は、例えば、筐体１０２内に固定された鉄板に固定された永久磁石と、キャリッジ１４２に固定された可動磁石を有する。支軸１４４は、キャリッジ１４２に設けられた円筒中空穴に嵌合し、筐体１０２内に図１の紙面に垂直に延びるように配置される。
【００３９】
スピンドルモータ１５０は、例えば、１００００ｒｐｍなどの高速で磁気ディスク１０４を回転する。スピンドルモータ１５０は、図２に示すように、（スピンドル）ハブ１５２を有する。ハブ１５２は、クランプリング１６０が取り付けられる環状取付面を上面に有する。取付面には複数（本実施例では６つ）のネジ孔が設けられる。
【００４０】
クランプリング１６０は、ディスク１０４及びスペーサ１０５をスピンドルモータ１５０に固定する機能を有する。
【００４１】
ランプ１７０は、磁気ディスク１０４の外側に配置され、停止時にサスペンション１４０の先端に形成されたリフトタブを保持することによってスライダ１３０を磁気ディスク１０４の外部で保持する。
【実施例２】
【００４２】
図６は、本発明の実施例２のＨＤＤ１００Ａの内部構造の概略平面図である。図７は、ＨＤＤ１００Ａの断面図である。ＨＤＤ１００Ａは、筐体１０２Ａとプレート１１０Ａを有する点でＨＤＤ１００と相違する。以下、筐体１０２Ａとプレート１１０Ａについて説明する。なお、ＨＤＤ１００Ａでは、便宜上２枚の磁気ディスク１０４が１つのスペーサ１０５Ａによって隔てられているが、実施例１と同様に３枚の磁気ディスク１０４を２つのスペーサ１０５によって隔ててもよい。
【００４３】
筐体１０２Ａには、図６においてハッチングされている気流の排気路１０２ｂが形成される。排気路１０２ｂは、図６に示す紙面に垂直な方向において、図７の最上位置にある磁気ディスク１０４から最下位置にある磁気ディスク１０４までの高さを有し、図６においてハッチングされた磁気ディスク１０４の一部を囲むように延びる。排気路１０２ｂにより、隣接する２枚の磁気ディスク１０４の間の空間に発生する後述する気流の排気を容易にすることができる。排気路１０２ｂは後述するプレート１１０Ａに形成されたシュラウド１１４の切り欠き１１４ａに接続されている。
【００４４】
プレート１１０Ａは、隣接する２つの磁気ディスク１０４の間に配置され、その間の空間の体積を低減すると共に一方の磁気ディスク１０４が発生する気流が他方の磁気ディスク１０４が発生する気流に混合しないようにする。隣接する２つの磁気ディスク１０４の間の空間の体積を低減することによって、発生する気流を低減し、気流の混合を防止することによって乱流を防止し、磁気ディスク１０４及びスライダ１３０の振動を防止する。本実施例では、図７に示すように、２つの磁気ディスク１０４が設けられるので１つのプレート１１０Ａが設けられる。
【００４５】
プレート１１０Ａは、筐体１０２に３本のネジ１０３を介して固定され、回転する磁気ディスク１０４に対して静止している。図８（ａ）は、プレート１１０Ａの表側の斜視図であり、図８（ｂ）は、プレート１１０Ａの裏側の斜視図である。プレート１１０Ａは円板形状を有する。プレート１１０Ａは、円環形状の基部１１１Ａと、薄い円筒形状の中空穴１１２Ａａと、３つの取付部１１２Ａｂとを有する。
【００４６】
基部１１１Ａは、アーム１４２ａ及びサスペンション１４０が進入可能な第１の領域１１３ａと、アーム１４２ａ及びサスペンション１４０が進入しない第２の領域１１３ｂと、を有する。第１の領域１１３ａの厚さは第２の領域１１３ｂの厚さよりも薄い。図２においては、アーム１４２ａ及びサスペンション１４０が進入しない右側の領域において、プレート１１０と隣接する磁気ディスク１０４の距離が比較的大きく、この空間で磁気ディスク１０４及びスライダ１３０を振動させる気流が発生するおそれがある。そこで、本実施例では、図８に示すように、第２の領域１１３ｂにおいてプレート１１０と隣接する磁気ディスク１０４の距離を小さくして、この空間で磁気ディスク１０４及びスライダ１３０を振動させる気流を低減している。なお、プレート１１０と隣接する磁気ディスク１０４の距離はゼロよりも大きい。このように、磁気ディスク１０４に近接した第２の領域１１３ｂを設けることにより、隣接する２つの磁気ディスク１０４の間の空間を第２の領域１１３ｂにおいてより低減し、それにより気流をより低減して振動をより低減することができる。
【００４７】
基部１１１Ａは、中央に中空穴１１２Ａａを有し、基部１１１Ａの外周１１１Ａａの一部には、ランプ１７０が進入する凹部１１１Ａｂが形成される。中空穴１１２Ａはスペーサ１０５の周りに配置される。３つの取付部１１２Ａｂは、基部１１１Ａの外周１１１Ａａから径方向に沿って外側に突出する略三角形形状を有する突出部であり、ネジ１０３が貫通する取付孔１１２Ａｂ１を中央に有する。取付孔１１２Ａｂ１の中心は等間隔である１２０度間隔で同一の円周上に配置される。
【００４８】
プレート１１０Ａは、実施例１と同様に、隣接する２つの磁気ディスク１０４の間に全周に亘って配置される。これにより、隣接する２つの磁気ディスク１０４の間の空間の体積をより低減すると共に一方の磁気ディスク１０４が発生する気流が他方の磁気ディスク１０４が発生する気流に混合しない割合を最大にすることができる。この結果、磁気ディスク１０４及びスライダ１３０の振動をより効果的に防止することができる。
【００４９】
基部１１１Ａは、第２の領域１１３ｂに突出した外周縁部（シュラウド）１１４を有する。シュラウド１１４の幅及び高さは数ミリである。シュラウド１１４が、磁気ディスク１０４の端面（側面）の気流を整流するので磁気ディスク１０４の振動を更に抑制することができる。シュラウド１１４は、一部に切り欠き１１４ａを有する。切り欠き１１４ａにより、シュラウド１１４の内部で発生した気流を外部に逃がすことができ、エアフィルタ効果を確保してＶＣＭ１４６の冷却効率を向上することができる。筐体１０２Ａの排気路１０２ｂは、切り欠き１１４ａに接続される。これにより、気流の排気を容易にすることができる。
【実施例３】
【００５０】
図９は、本発明の実施例３のＨＤＤ１００Ｂの内部構造の概略平面図である。図１０は、ＨＤＤ１００Ｂの断面図である。ＨＤＤ１００Ｂは、プレート１１０Ｂを有する点でＨＤＤ１００Ａと相違する。以下、プレート１１０Ｂについて説明する。
【００５１】
図１１（ａ）は、プレート１１０Ｂの表側の斜視図であり、図１１（ｂ）は、プレート１１０Ｂの裏側の斜視図である。プレート１１０Ｂは、プレート１１０Ａと比較して、基部１１１Ａよりも厚さが薄い基部１１１Ｂを有する。プレート１１０Ｂはプレート１１０Ａと同様の機能を有する。
【００５２】
プレート１１０Ｂは、筐体１０２に３本のネジ１０３を介して固定され、回転する磁気ディスク１０４に対して静止している。プレート１１０Ｂは円板形状を有する。プレート１１０Ｂは、円環形状の基部１１１Ｂと、薄い円筒形状の中空穴１１２Ｂａと、それぞれ取付孔１１２Ｂｂ１を有する３つの取付部１１２Ｂｂとを有する。中空穴１１２Ｂａと取付部１１２Ｂｂは厚さが異なる以外は中空穴１１２Ａａと取付部１１２Ａｂと同様の機能を有する。
【００５３】
基部１１１Ｂも同様に、アーム１４２ａ及びサスペンション１４０が進入可能な第１の領域１１３ａと、アーム１４２ａ及びサスペンション１４０が進入しない第２の領域１１３ｂと、を有する。第１の領域１１３ａの厚さは第２の領域１１３ｂの厚さよりも薄い。このように、磁気ディスク１０４に近接した第２の領域１１３ｂを設けることにより、隣接する２つの磁気ディスク１０４の間の空間を第２の領域１１３ｂにおいてより低減し、それにより気流をより低減して振動をより低減することができる。
【００５４】
プレート１１０Ｂは、実施例１と同様に、隣接する２つの磁気ディスク１０４の間に全周に亘って配置される。これにより、隣接する２つの磁気ディスク１０４の間の空間の体積をより低減すると共に一方の磁気ディスク１０４が発生する気流が他方の磁気ディスク１０４が発生する気流に混合しない割合を最大にすることができる。この結果、磁気ディスク１０４及びスライダ１３０の振動をより効果的に防止することができる。
【００５５】
基部１１１Ｂは、第２の領域１１３ｂに突出した外周縁部（シュラウド）１１４を有する。シュラウド１１４の幅及び高さは数ミリである。シュラウド１１４が、磁気ディスク１０４の端面（側面）の気流を整流するので磁気ディスク１０４の振動を更に抑制することができる。シュラウド１１４は、一部に切り欠き１１４ａを有する。切り欠き１１４ａにより、シュラウド１１４の内部で発生した気流を外部に逃がすことができ、エアフィルタ効果を確保してＶＣＭ１４６の冷却効率を向上することができる。筐体１０２Ａの排気路１０２ｂは、切り欠き１１４ａに接続される。これにより、気流の排気を容易にすることができる。
【００５６】
基部１１１Ｂには、第２の領域１１３ｂにおいて磁気ディスク１０４に最も近接する３つの円筒形状の突起１１５を有する。３つの突起１１５の中心は、等間隔である１２０度間隔で同一円周上に配置される。３つの突起１１５は同一形状で同一の高さを有する。突起１１５の数が３つであるのは面を画定するのに３点あれば必要十分であるからである。これにより、磁気ディスク１０４と第２の領域１１３ｂの最近接部である突起１１５との距離の精度のみを確保すれば足り、プレート１１０Ａのように第２の領域１１３ｂの全面に亘って磁気ディスク１０４との距離の精度を確保する必要がない。このため、製造が容易になる。
【実施例４】
【００５７】
図１２は、本発明の実施例４のＨＤＤ１００に適用可能なプレート１１０Ｃの裏側の斜視図である。プレート１１０Ｃは、突起１１６を有する点でプレート１１０と相違する。突起１１６は、中空穴１１２ａから外周１１１ａまで延びる。これにより、気流を外部に逃がすことができ、エアフィルタ効果を確保してＶＣＭ１４６の冷却効率を向上することができる。突起１１６は中空穴１１２ａの接線方向に延びることが好ましい。この方向に気流が流れるからである。
【実施例５】
【００５８】
図１３は、本発明の実施例５のＨＤＤ１００に適用可能なプレート１１０Ｄの表側の斜視図である。プレート１１０Ｄは、突起１１６を有する点でプレート１１０Ｂと相違する。
【００５９】
ＨＤＤ１００の動作において、図示しない制御部は、スピンドルモータ１５０を駆動して磁気ディスク１０４を回転させる。磁気ディスク１０４の回転に伴う気流をスライダ１３０と磁気ディスク１０４との間に巻き込み微小な空気膜を形成し、スライダ１３０にはディスク面から浮上する浮力が作用する。一方、サスペンション１４０はスライダ１３０の浮力と対向する方向に弾性押付力をスライダ１３０に加えている。かかる浮力と弾性力との釣り合いにより、スライダ１３０と磁気ディスク１０４との間が一定に離間する。このとき、プレート１１０が不要な気流の発生を防止するので磁気ディスク１０４とスライダ１３０の振動を低減することができる。
【００６０】
次に、制御部は、キャリッジ１４２を支軸１４４回りに回動させ、ヘッド１３２をディスク１０４の目的のトラック上にシークさせる。アーム１４２ａには一つのスライダ１３０しか搭載されていないので、このときアーム１４２ａ及びサスペンション１４０とプレート１１０とは衝突しない。書き込み時には、制御部は、インターフェースを介して図示しないＰＣなどの上位装置から得たデータを受信し、インダクティブヘッドを選択し、変調されたデータを書き込み電流として供給する。これにより、インダクティブヘッドは目的のトラックにデータを書き込む。読み出し時には、制御部はＭＲヘッドを選択し、センス電流を供給する。これにより、ＭＲヘッドは、ディスク１０４の所望のトラックから情報を読み出す。
【００６１】
ＨＤＤ１００のポジションエラー信号（ＰＥＳ）スペクトラムと本実施例のプレート１１０を有しないＨＤＤのＰＥＳスペクトラムを比較すると、非同期回転ブレ精度（ＮＲＲＯ）の数値比較においてＨＤＤ１００のヘッドは約９％の改善が期待できる。更に、ＨＤＤ１００Ａや１００Ｂのように磁気ディスク１０４に近接したプレート１１０Ａを使用すると主に媒体振動成分が低減され、全体として２０％程度のＮＲＲＯ改善が期待できる。
【００６２】
本実施例によれば、プレートが磁気ディスク１０４及びスライダ１３０の振動を低減するので高いヘッド位置決め機能を提供することができる。
【００６３】
なお、上記では磁気ディスク装置で説明したが、光ディスク用ヘッドや光磁気ディスク用ヘッドにスライダ搭載方式を採用する光ディスク装置などにも適用することができる。
【００６４】
以上、本発明の実施の形態を説明したが、本発明はこれらの実施の形態に限定されず、その要旨の範囲内で様々な変形及び変更が可能である。
【００６５】
本発明は更に以下の事項を開示する。
【００６６】
（付記１）  複数の記憶媒体と、
前記複数の記憶媒体を収納する筐体と、
前記筐体に固定され、隣接する２つの記憶媒体の間に全周に亘って配置されるプレートと、
それぞれが各記憶媒体に情報を記録又は再生する磁気ヘッドを搭載した複数のスライダと、
それぞれが前記スライダを片面にのみ搭載して前記スライダを移動させる複数のアームと、
を有することを特徴とする記憶装置。（１）
（付記２）  前記プレートは平板形状を有することを特徴とする付記１に記載の記憶装置。
【００６７】
（付記３）  前記プレートは、前記アームが進入可能な第１の領域と、前記アームが進入しない第２の領域と、を有し、前記第１の領域の厚さは前記第２の領域の厚さよりも薄いことを特徴とする付記１に記載の記憶装置。（２）
（付記４）  前記プレートは、前記第２の領域において前記記憶媒体に最も近接する突起を有することを特徴とする付記３に記載の記憶装置。
【００６８】
（付記５）  前記プレートは、前記第２の領域に、突出した外周縁部を有することを特徴とする付記３又は４に記載の記憶装置。
【００６９】
（付記６）  突出している前記外周縁部の一部に切り欠きが設けられていることを特徴とする付記５に記載の記憶装置。
【００７０】
（付記７）  前記筐体は、前記切り欠きに接続され、前記記憶媒体の一部を囲む排気路を有することを特徴とする付記６に記載の記憶装置。
【００７１】
（付記８）  前記筐体は、前記記憶媒体の接線方向に平行に延びる排気路を有することを特徴とする付記１に記載の記憶装置。
【００７２】
（付記９）  前記プレートは円筒形状の中空穴を含み、
前記プレートは、前記中空穴から外周まで延びる突起を有することを特徴とする付記１に記載の記憶装置。
【００７３】
（付記１０）  前記プレートは円筒形状の中空穴を含み、
前記プレートは、前記第２の領域に、前記中空穴から外周まで延びる突起を有することを特徴とする付記３に記載の記憶装置。
【００７４】
（付記１１）  前記突起は前記中空穴の接線方向に延びることを特徴とする付記９又は１０に記載の記憶装置。
【図面の簡単な説明】
【００７５】
【図１】本発明の実施例１のハードディスク装置（ＨＤＤ）の内部構造を示す平面図である。
【図２】図１に示すＨＤＤの断面図である。
【図３】図２に示すプレートの斜視図である。
【図４】図１に示すＨＤＤのスライダの拡大斜視図である。
【図５】図５（ａ）は、従来のアーム、サスペンション、スライダの概略断面図であり、図５（ｂ）は、本実施例のアーム、サスペンション、スライダの概略断面図である。
【図６】本発明の実施例２のＨＤＤの内部構造を示す平面図である。
【図７】図６に示すＨＤＤの断面図である。
【図８】図８（ａ）は、図７に示すプレートの表側の斜視図であり、図８（ｂ）は、図７に示すプレートの裏側の斜視図である。
【図９】本発明の実施例３のＨＤＤの内部構造を示す平面図である。
【図１０】図９に示すＨＤＤの断面図である。
【図１１】図１１（ａ）は、図１０に示すプレートの表側の斜視図であり、図１１（ｂ）は、図１０に示すプレートの裏側の斜視図である。
【図１２】図３に示すプレートの変形例の斜視図である。
【図１３】図１１に示すプレートの変形例の斜視図である。
【符号の説明】
【００７６】
１００−１００Ｂ          ハードディスク装置（磁気記憶装置）
１０２，１０２Ａ          筐体
１０２ａ、１０２ｂ        排気路
１０４                    磁気ディスク（磁気記憶媒体）
１１０−１１０Ｄ          プレート
１１４                    シュラウド
１１５、１１６            突起
１３０                    スライダ
１３２                    磁気ヘッド
１４２ａ                  アーム
【図１】
2009070425.tif 000003
【図２】
2009070425.tif 000004
【図３】
2009070425.tif 000005
【図４】
2009070425.tif 000006
【図５】
2009070425.tif 000007
【図６】
2009070425.tif 000008
【図７】
2009070425.tif 000009
【図８】
2009070425.tif 000010
【図９】
2009070425.tif 000011
【図１０】
2009070425.tif 000012
【図１１】
2009070425.tif 000013
【図１２】
2009070425.tif 000014
【図１３】
2009070425.tif 000015